(57)【要約】【課題】装置を衣類にセットした後に、折り畳み作業を行う際の手数を低減し、より一層衣類の折り畳み作業を簡素化する衣類折り畳み装置を提供することを目的とする。【解決手段】本発明の折り畳み装置は、一端に第１磁石を備えた第１棒状部材と、一端に第１磁石と引き合う向きの第２磁石を備えた第２棒状部材と、把持部を有し、第１孔および第２孔が穿設された把持部材と、第１棒状部材の他端に係止され、第１孔を貫通する第１紐部材と、第２棒状部材の他端に係止され、第２孔を貫通する第２紐部材と、第２孔を貫通し、第１磁石または第２磁石と引き合う第３磁石を備えた第３紐部材を備える。【選択図】図１
2018029931.tif 000002
【特許請求の範囲】
【請求項１】
一端に第１磁石を備えた第１棒状部材と、
一端に前記第１磁石と引き合う向きの第２磁石を備えた第２棒状部材と、
把持部を有し、第１孔および第２孔が穿設された把持部材と、
前記第１棒状部材の他端に係止され、前記第１孔を貫通する第１紐部材と、
前記第２棒状部材の他端に係止され、前記第２孔を貫通する第２紐部材と、
前記第２孔を貫通し、前記第１磁石または前記第２磁石と引き合う第３磁石を備えた第３紐部材を備えることを特徴とする衣類折り畳み装置。
【請求項２】
前記第１紐部材と前記第２紐部材と前記第３紐部材は、共通のつまみ部材に係止されることを特徴とする請求項１に記載の衣類折り畳み装置
【請求項３】
前記第１棒状部材は、その他端側であって、前記第１紐部材が係止された部分よりも中心側に、第４磁石を備え
前記第２棒状部材は、その他端側であって、前記第２紐部材が係止された部分よりも中心側に、前記第４磁石と引き合う向きの第５磁石を備えたことを特徴とする請求項１または２に記載の衣類折り畳み装置。
【請求項４】
前記第１棒状部材は、前記第１紐部材が係止された部分と前記第４磁石との間に滑り止め部を有し、
前記第２棒状部材は、前記第２紐部材が係止された部分と前記第５磁石との間に滑り止め部を有することを特徴とする請求項３に記載の衣類折り畳み装置。
【発明の詳細な説明】
【技術分野】
【０００１】  本発明は、衣類を折り畳む際の作業を簡素化する衣類折り畳み装置に関するものである。
【背景技術】
【０００２】  家事の多くは、家電等の普及に伴い自動化が進んでいる一方、衣類の折り畳み作業は、自動化が進まず、家事の中でも負担の大きい作業となっている。また、幼い子供が家事を手伝う場合であっても、衣類の折り畳み作業は、衣類ごとに異なり、かつ手数の多い折り畳み方を覚える必要があるため、手伝うことが困難であった。【０００３】  このような衣類の折り畳み作業を簡素化する装置として、特許文献１に示すような衣類折り畳み具があった。上記の衣類折り畳み具によれば、衣類の上に型板をセットし、その端部に合わせて、両袖や裾を折り畳むことによって衣類の折り畳み作業を完了させることができる。
【特許文献１】実用新案登録第３１７１６２８号
【発明の概要】
【発明が解決しようとする課題】
【０００４】  しかしながら、上記の衣類折り畳み具によっても依然として、装置を衣類の上にセットしたのち、右袖を折り畳む、右袖を折り畳む、裾を折り畳むというように、複数の箇所を持ち替えて折り畳み作業をしなければならず、その手数の低減において、さらなる簡素化の余地があった。【０００５】  本発明は、装置を衣類にセットした後に、折り畳み作業を行う際の手数を低減し、より一層衣類の折り畳み作業を簡素化する衣類折り畳み装置を提供することを目的とする。
【課題を解決するための手段】
【０００６】  本発明の衣類折り畳み装置は、一端に第１磁石を備えた第１棒状部材と、一端に第１磁石と引き合う向きの第２磁石を備えた第２棒状部材と、把持部を有し、第１孔および第２孔が穿設された把持部材と、第１棒状部材の他端に係止され、第１孔を貫通する第１紐部材と、第２棒状部材の他端に係止され、第２孔を貫通する第２紐部材と、第２孔を貫通し、第１磁石または第２磁石と引き合う第３磁石を備えた第３紐部材を備える。【０００７】  このような衣類折り畳み装置よれば、第１棒状部材と第２棒状部材が、第１磁石及び第２磁石の磁力によって引き合った状態で、衣類を乗せ、衣類の上から第３磁石が第１または第２磁石と衣類を挟んで引き合うように装置を衣類にセットし、把持部を持った状態で、第１、第２、第３紐部材をそれぞれ第１孔、第２孔を介して引っ張って衣類を持ち上げたところで、把持部材ごと降ろして折り畳み装置を衣類から外すことで、衣類を折り畳むことができる。【０００８】  すなわち、装置を衣類にセットした後は、第１、第２、第３紐部材を同時に引き上げて、把持部材ごと降ろすという動作によって衣類を折り畳むことができ、持ち手の変更よって生じる手数の増加を低減することができる。これにより、衣類の折り畳み作業を簡素化することができる。【０００９】  さらに、第１紐部材と第２紐部材と第３紐部材は、共通のつまみ部材に係止されるようにすることが好適である。このようにすると、第１、第２、第３紐部材を同時に引き上げる動作をより容易に行うことができる。【００１０】  さらに、第１棒状部材は、その他端側であって、第１紐部材が係止された部分よりも中心側に、第４磁石を備え、第２棒状部材は、その他端側であって、第２紐部材が係止された部分よりも中心側に、第４磁石と引き合う向きの第５磁石を備えることが好適である。このようにすると、第１孔に向かって引き上げられた第１棒状部材と第２棒状部材の他端側が引き合って衣類を挟むため、他端側で衣類が滑り落ちるのを抑制することができる。【００１１】  さらに、第１棒状部材は、第１紐部材が係止された部分と第４磁石との間に滑り止め部を有し、第２棒状部材は、第２紐部材が係止された部分と第５磁石との間に滑り止め部を有することが好適である。このようにすると、第４、第５磁石が引き合って衣類を挟む前にも、他端側で衣類が滑り落ちるのを抑制することができる。
【発明の効果】
【００１２】  本発明の衣類折り畳み装置は、装置を衣類にセットした後に、折り畳み作業を行う際の手数を低減し、より一層衣類の折り畳み作業を簡素化することができる。
【図面の簡単な説明】
【００１３】
【図１】  本発明の実施形態における衣類折り畳み装置の全体概要を示す斜視図
【図２】  本発明の実施形態における衣類折り畳み動作の装置を衣類にセットした状態を示す斜視図
【図３】  本発明の実施形態における衣類折り畳み動作のつまみ部材引っ張った状態を示す右側面図
【図４】  本発明の実施形態における衣類折り畳み動作のつまみ部材を引っ張った状態を示す左側面図
【図５】  本発明の実施形態における衣類折り畳み動作の把持部材を降ろした状態を示す斜視図
【発明を実施するための形態】
【００１４】  図１は、本発明の実施形態における衣類折り畳み装置の全体概要を示す斜視図である。把持部材１は把持部２、第１孔３、第２孔４を有する棒状の部材であって、たとえば木材によって形成される。ここで第１孔３と第２孔４との間隔は、以下で説明する第１棒状部材５及び第２棒状部材６と同程度であると、折り畳みの仕上がりがきれいになるため、好ましい。
【００１５】  第１棒状部材５は、たとえば木材などで形成され、折り畳む衣類の丈の半分ほどの長さを有する棒状の部材である。第１棒状部材５は、一端に第１磁石８を有する。第１磁石８はたとえばＮ極を上側に有し、接着剤によって第１棒状部材５に接着されている。第１棒状部材５の他端には、第１紐部材１３が結ばれており、第１紐部材１３を第１孔３に向けて引っ張ることができる。また、第１紐部材１３が結ばれた地点よりも内側には、第４磁石７がたとえばＮ極を上側にし、接着剤によって第１棒状部材５に接着されている。
【００１６】  第２棒状部材６は、たとえば木材などで形成され、折り畳む衣類の丈の半分ほどの長さを有する棒状の部材である。第２棒状部材６は、一端に第２磁石９を有する。第２磁石９はたとえばＳ極、すなわち第１磁石８と反対の極を上側に有し、接着剤によって第２棒状部材６に接着されている。第２棒状部材６の他端には、第２紐部材１４が結ばれており、第２紐部材１４を第１孔３に向けて引っ張ることができる。また、第２紐部材１４が結ばれた地点よりも内側には、第５磁石１０がたとえばＳ極、すなわち第４磁石７と反対の極を上側にし、接着剤によって第２棒状部材６に接着されている。
【００１７】  第４磁石７と第１紐部材１３との間、及び第５磁石１０と第２紐部材１４との間には、滑り止め部１１、１２がそれぞれ形成されており、第１紐部材１３、第２紐部材１４を引っ張った際に、他端側が持ち上がって衣類が滑り落ちるのを抑制する。滑り止め部１１、１２は、例えば、ゴムや粗いスポンジ等、第１棒状部材５や第２棒状部材６に比べて衣類が滑りにくい材料を第１棒状部材５、第２棒状部材６の表面に接着することで形成される。
【００１８】  把持部材１の第２孔４の近傍には、第３紐部材１６が結ばれている。第３紐部材１６は、把持部材１の結ばれた地点から下側に垂れ下がって、把持部材１の第２孔４を介して把持部材１の上側に貫通している。第３紐部材１６の垂れ下った下端部には、円環部材１７が通されており、円環部材１７は第３磁石１５に接着されている。第３磁石はたとえばＳ極が下側になるように接着されており、第１磁石８と引き合うようになっている。
【００１９】  第１紐部材１３及び第２紐部材１４は第１孔３を介して、把持部材１を貫通して、把持部材１の反対側でつまみ部材１８に結ばれている。また第３紐部材１６も同様につまみ部材１８に結ばれている。つまみ部材１８を把持部２側に引っ張ることによって、第１紐部材１３、第２紐部材１４、第３紐部材１６を同時に引っ張ることができる。
【００２０】  次に、図２〜４を参照して、本発明の実施形態における衣類折り畳み装置による衣類の折り畳み動作について説明する。ここでは、衣類としてＴシャツ１９を、第１折り線２１、第２折り線２３、第３折り線２２で折り畳む動作について説明する。
【００２１】  図２は、衣類折り畳み装置に衣類をセットした状態の斜視図である。第１棒状部材５、第２棒状部材６を第１磁石８と第２磁石９がその側面において引き合うように直線状に配置し、第１棒状部材５及び第２棒状部材６が成す直線に第１折り線２１が沿うようにＴシャツ１９を配置する。さらに、第３磁石１５が第１磁石８とＴシャツ１９を介して引き合うように配置する。このとき、第２孔４がＴシャツ１９に近づくように把持部２を持ち上げることが好適である。
【００２２】  図２の状態から、つまみ部材１８を引っ張ると、第１棒状部材５の他端および第２棒状部材６の他端が引き上げられ、また第３磁石１５が引き上げられることによって第１棒状部材５の一端および第２棒状部材の一端が引き上げられる。これによって、Ｔシャツ１９は第１折り線２１において山折りに折れる。さらにつまみ部材１８を引っ張ると、第３磁石１５及び第１棒状部材５の一端及び第２棒状部材６の一端が第２孔４に向かって引っ張られ、第１棒状部材５の他端及び第２棒状部材６の他端が、第１孔３に向かって引っ張られる。これにより、第２折り線２３において、山折り（図２における一点鎖線部分）及び谷折り（図２における鎖線部分）に折れる。
【００２３】  つまみ部材１８を引っ張り終えた状態の右側面図を図３に示す。また同状態の左側面図を図４に示す。つまみ部材１８を引っ張り終えた状態において、把持部材１と第１棒状部材５及び第２棒状部６が略平行になるように、第１紐部材１３、第２紐部材１４及び第３紐部材１６の長さを設定することで折り畳みの仕上がりをよりきれいにすることができる。
【００２４】  図３の状態から、第３折り線２２で山折りに折れるように（図４においては、第３折り線２２で谷折りに折れるようにＴシャツ１９の袖を折りつつ、把持部材１を降ろした状態を図５に示す。
【００２５】  図５の状態から、第３磁石１５を折り畳まれたＴシャツ１９の内部にある第１磁石８から引き離すとともに、第１棒状部材５、第２棒状部材６を図５において、左手前側に引き抜くとＴシャツ１９の折り畳み動作が完了する。
【００２６】  このように、本実施形態の衣類折り畳み装置によれば、図２のようにＴシャツ１９を衣類折り畳み装置にセットしてから、つまみ部材１８を引っ張りあげ、把持部材１ごとＴシャツ１９を降ろすだけで折り畳み作業が完了する。そのため、セット後にＴシャツ１９や装置のさまざま箇所を持ち替えて折り畳み動作を行うことないので、衣類の折り畳み作業の手数を減らすことができる。
【００２７】  なお、折り畳み後に第１紐部材１３、第２紐部材１４、第３紐部材１６が絡まりやすので、色の異なる紐を用いると解きやすいため好適である。
【００２８】  また、第３磁石１５は衣類を介して第１磁石８または第２磁石９と引き合って衣類を持ち上げる必要があるため、他の磁石に比べて磁力の強い磁石を用いることで、確実に衣類を持ち上げることができる。
【００２９】  本実施形態においては、衣類としてＴシャツを折り畳む場合を例示したが、第１折り線、第２折り線、第３折り線と同様の折り線によって折り畳むことができる衣類であれば、Ｔシャツに限らず、本装置によって折り畳むことができる。
【産業上の利用可能性】
【００３０】  装置を衣類にセットした後に、折り畳み作業を行う際の手数を低減し、より一層衣類の折り畳み作業を簡素化することができる。
【符号の説明】
【００３１】１  把持部材
２  把持部
３  第１孔
４  第２孔
５  第１棒状部材
６  第２棒状部材
７  第４磁石
８  第１磁石
９  第２磁石
１０  第５磁石
１１、１２  滑り止め部
１３  第１紐部材
１４  第２紐部材
１５  第３磁石
１６  第２紐部材
１７  円環部材
１８  つまみ部材
１９  Ｔシャツ
２１  第１折り線
２２  第３折り線
２３  第２折り線
【図１】
2018029931.tif 000003
【図２】
2018029931.tif 000004
【図３】
2018029931.tif 000005
【図４】
2018029931.tif 000006
【図５】
2018029931.tif 000007